(57)【要約】【課題】複数階の建物において、下階の床部分まで十分に採光ができるライトコートを備えた建物を提供すること。【解決手段】本発明は、ライトコート７を有する空間が上下階４，６に沿って形成された複数階のライトコート７を備えた建物１であって、上階部６と下階部４との境界部分に配置され上階部６から下階部４への採光を許容する透光性床面材７１と、前記上階部６に設けられる反射部材７７を有し、この反射部材７７で反射された光を下階部４に送る反射光路Ｌ１，Ｌ２と、を備えたことを特徴としたライトコート７を備えた建物１である。【選択図】図５
2011032745.tif 000002
【特許請求の範囲】
【請求項１】
ライトコートを有する空間が上下階に沿って形成された複数階のライトコートを備えた建物であって、
上階部と下階部との境界部分に配置され上階部から下階部への採光を許容する透光性床面材と、
前記上階部に設けられる反射部材を有し、この反射部材で反射された光を下階部に送る反射光路と、
を備えたことを特徴としたライトコートを備えた建物。
【請求項２】
請求項１に記載のライトコートを備えた建物において、
前記透光性床面材は平面格子状に形成されたことを特徴としたライトコートを備えた建物。
【請求項３】
請求項１に記載のライトコートを備えた建物において、
前記反射部材は、前記上階部に設けられたフレームと、このフレームに回動自在に設けられたルーバー状の反射板と、を備えたことを特徴としたライトコートを備えた建物。
【請求項４】
請求項３に記載のライトコートを備えた建物において、
前記フレームは、上階部の外壁に埋設されたアンカー部材に締結具を介して連結されたことを特徴としたライトコートを備えた建物。
【請求項５】
請求項１から請求項４までのいずれかに記載のライトコートを備えた建物において、
前記ライトコートは平面コ字状に形成された外壁部に対応して形成され、
この外壁部は、建物外部に対向する第一壁面部と、この第一壁面部にそれぞれ接続されて互いに対向する第二壁面部および第三壁面部と、を備え、
この第二壁面部は窓部を有し、この窓部の上に前記反射部材を設け、この反射部材は前記第三壁面部に向けて光を反射させることを特徴としたライトコートを備えた建物。
【発明の詳細な説明】
【技術分野】
【０００１】
本発明は、ライトコートを備えた建物に関する。
【背景技術】
【０００２】
採光や換気のために建物にはライトコートが設けられたものがある。このライトコートを有する建物として、例えば、建物の側部を平面コ字状に形成し、このコ字状に対応した開口部分にライトコートを形成したものがある（特許文献１参照）。
【先行技術文献】
【特許文献】
【０００３】
【特許文献１】特開平７−２６７４３号公報
【発明の概要】
【発明が解決しようとする課題】
【０００４】
特許文献１に示される従来例は、集合住宅であるため、複数階の建物では、上下階の間取りが同じであり、その結果、ライトコートを含む空間が上下階に連続して形成されることが想定される。ここで、上階のメンテナンス等のために、上階と下階との間に事実上の床を形成することが考えられるが、単に床を配置したのでは、上部から取り入れられた光を下階の床部分に導入することができず、採光が不十分となる問題がある。
【０００５】
本発明の目的は、複数階の建物において、下階の床部分まで十分に採光ができるライトコートを備えた建物を提供することである。
【課題を解決するための手段】
【０００６】
本発明のライトコート７を備えた建物１は、ライトコート７を有する空間が上下階４，６に沿って形成された複数階のライトコート７を備えた建物１であって、上階部６と下階部４との境界部分に配置され上階部６から下階部４への採光を許容する透光性床面材７１と、前記上階部６に設けられる反射部材７７を有し、この反射部材７７で反射された光を下階部４に送る反射光路Ｌ１，Ｌ２と、を備えたことを特徴とした。
【０００７】
この発明によれば、上階部６と下階部４との境界部分に透光性床面材７１が配置されているので、この透光性床面材７１を事実上、上階部６の床として利用することができる。さらに、この透光性床面材７１は、光を透過するので、上階部６から差し込む光を遮光することなく、下階部４へと光を導くことができる。
さらに、上階部６に設けられる反射部材７７と、この反射部材７７から反射された光を下階部４に送る反射光路Ｌ１，Ｌ２とを備えているので、例えば、ライトコート７の上階部６にしか差し込まない光であっても、反射部材７７により反射され反射光路Ｌ１，Ｌ２を通って下階部４へと導光することができる。
このため、ライトコート７は、上階部６にのみ差し込む光を下階部４へと導光することができるので、ライトコート７の上階部６から下階部４まで全域において効率よく採光することができる。すなわち、ライトコート７に面した建物１外壁Ｗに窓部として窓やガラス戸Ｇを設けることで建物１内部へと効率よく採光することができる。
【０００８】
本発明のライトコート７を備えた建物１では、前記透光性床面材７１は平面格子状に形成されたことが好ましい。
【０００９】
この発明によれば、簡易な構造の透光性床面材７１を適用できるので、例えば、グレーティング７１を透光性床面材７１として用いることができ、容易に実施することができる。また、グレーティング７１等を用いれば、透光性床面材７１の強度を高めることができ、上階部６の床として好適である。
【００１０】
本発明のライトコート７を備えた建物１では、前記反射部材７７は、前記上階部６に設けられたフレーム７７１と、このフレーム７７１に回動自在に設けられたルーバー状の反射板７７２と、を備えたことが好ましい。
【００１１】
この発明によれば、反射部材７７は回動自在なルーバー状の反射板７７２を備えているので、入射角度の異なる光に対応して反射板７７２の角度を調整すればライトコート７の下階部４へと導光することができる。
例えば、自然光では太陽の南中高度が季節ごとに異なるので、効率よくライトコート７への導光を実現するためには反射部材７７の角度調整が必要となる。このような場合において、ルーバー状の反射板７７２を備えていると反射板７７２を回動させるだけで容易に角度調整ができ、季節が移り変わってもライトコート７へと導光することができる。
よって、通年でライトコート７へ導光することができ、ライトコート７から建物１内部へと採光することができる。
【００１２】
本発明のライトコート７を備えた建物１では、前記フレーム７７１は、上階部６の外壁Ｗに埋設されたアンカー部材Ａに締結具７７４を介して連結されたことが好ましい。
【００１３】
この発明によれば、フレーム７７１はアンカー部材Ａに締結具７７４を介して連結されているので、アンカー部材Ａおよび締結具７７４のみの簡易な構成によりフレーム７７１を取り付けることができる。
【００１４】
本発明のライトコート７を備えた建物１では、前記ライトコート７は平面コ字状に形成された外壁部に対応して形成され、この外壁部は、建物１外部に対向する第一壁面部７４と、この第一壁面部７４にそれぞれ接続されて互いに対向する第二壁面部７５および第三壁面部７６と、を備え、この第二壁面部７５は窓部Ｇを有し、この窓部Ｇの上に前記反射部材７７を設け、この反射部材７７は前記第三壁面部７６に向けて光を反射させることが好ましい。
【００１５】
この発明によれば、第二壁面部７５と第三壁面部７６とが対向し、さらに第二壁面部７５に設けられた反射部材７７が第三壁面部７６へと光を反射させるので、光が照射された第三壁面部７６はさらにその光を第二壁面部７５へと反射することとなる。このため、第二壁面部７５と第三壁面部７６との間で光を反射させあうことができ、ライトコート７全体に採光することができる。よって、ライトコート７に面する第一壁面部７４、第二壁面部７５、第三壁面部７６に任意に採光窓等を設けることで、ユニット式建物１内に採光することができる。
また、ライトコート７全体へと導光することで、ライトコート７に面する第一壁面部７４、第二壁面部７５、第三壁面部７６に苔やカビが生えにくくなることが期待できる。
【図面の簡単な説明】
【００１６】
【図１】本実施形態のユニット式建物の全体斜視図。
【図２】本実施形態のユニット式建物の上視断面図。
【図３】本実施形態の標準建物ユニットの全体斜視図。
【図４】本実施形態の特殊上階建物ユニットの全体斜視図。
【図５】本実施形態のライトコートの拡大断面図。
【図６】本実施形態の反射部材の拡大断面図。
【図７】本実施形態の反射部材の正面図。
【発明を実施するための形態】
【００１７】
図１および図２に基づいて本実施形態におけるユニット式建物を説明する。
図１には、本実施形態のユニット式建物の全体斜視図が示されている。
図１に示すように、本発明の一実施形態のユニット式建物１は、基礎２の上に設けられた複数の標準下階建物ユニット３１、特殊下階建物ユニット３２、第一異型下階建物ユニット３３および第二異型下階建物ユニット３４を有する下階部４と、これら下階建物ユニットの上に設けられる複数の標準上階建物ユニット５１、特殊上階建物ユニット５２、第一異型上階建物ユニット５３および第二異型上階建物ユニット５４を有する上階部６と、この上階部６の上方に設けられた立上部９１を有する屋根部９と、を備えて構成されている。
【００１８】
ここで、特殊下階建物ユニット３２とは、ライトコート７を確保するための開放空間を形成できる特殊な構造を有する下階建物ユニットである。第一異型下階建物ユニット３３および第二異型下階建物ユニット３４とは、標準下階建物ユニット３１と梁の寸法が異なる下階建物ユニット３である。
また、上階建物ユニットにおいても、これらの定義は同様である。
【００１９】
ユニット式建物１の具体的な構成としては、下階部４は、長辺同士が対向して隣り合う２個の標準下階建物ユニット３１と、長辺同士が対向して隣り合う第一異型下階建物ユニット３３および標準下階建物ユニット３１とに、長辺同士が対向して隣り合う第二異型下階建物ユニット３４および特殊下階建物ユニット３２が挟まれて構成されている。
このとき、全ての下階建物ユニットは、長辺同士が対向して隣り合い、かつ、少なくとも一方の短辺同士が一直線となるように配置される。また上階部６は、下階部４と同様に上階建物ユニット５が配置されている。
【００２０】
これにより、ユニット式建物１の中央部に特殊下階建物ユニット３２および特殊上階建物ユニット５２が配置されるので、ライトコート７が下階部４と上階部６とに連続して形成される。また、屋根部９はライトコート７に対応する箇所には設けられないため、ライトコート７は下階部４から上階部６を介して空へと開放された空間となる。
このライトコート７には、下階部４と上階部６との境界部分に配置された透光性床面材としてのグレーティング７１が設けられている。このグレーティング７１は平面板状の部材であり、平面部は格子状に形成され、光を透過できるようになっている。
【００２１】
また、グレーティング７１のユニット式建物１の外部側には柵７２が設けられている。この柵７２は、平面板状であって格子状の平面部を有する部材であり、グレーティング７１同様に光を透過することができる。柵７２を設けたことで、グレーティング７１は事実上の床として利用できる。
さらに、下階部４のライトコート７は、基礎２と一体に形成された縁石７３が設けられており、テラスとして利用できる。
【００２２】
また、ライトコート７に面する建物ユニットの外壁において、ユニット式建物１の外部と対向する外壁面を第一壁面部７４、この第一壁面部７４と直交する窓部としてのガラス戸Ｇが上階部６にも形成されている外壁面を第二壁面部７５、第二壁面部７５と対向する外壁面を第三壁面部７６とする。
このとき第一壁面部７４と第二壁面部７５には、ガラス戸Ｇが設けられており、ライトコート７へと差し込む光をユニット式建物１内へと採光することができる。
ユニット式建物１の外壁や一部空間には、窓８１やインナーバルコニー８２が形成されており、居住空間への採光や居住者のライフスタイルの自由度確保などができるようになっている。
【００２３】
図２には、本実施形態のユニット式建物の上視断面図が示されている。
特殊上階建物ユニット５２は、ライトコート７、廊下Ｃ、階段Ｓが形成されており、ライトコート７および階段Ｓに対応する箇所は床面材等が形成されず、開放空間として利用される。
【００２４】
図３に基づいて本実施形態における標準下階建物ユニット３１および標準上階建物ユニット５１を説明する。図３には、本実施形態の標準建物ユニットの全体斜視図が示されている。
標準下階建物ユニット３１および標準上階建物ユニット５１は、四隅に立設される４本の柱１０と、これらの柱１０の上端間同士を結合する４本の天井梁１１と、各柱１０の下端間同士を結合する４本の床梁１２とを含む骨組み１３を有し、略直方体状に形成されている。
【００２５】
そして、天井梁１１は各２本の長辺天井梁１１１および短辺天井梁１１２で構成され、床梁１２は各２本の長辺床梁１２１および短辺床梁１２２で構成されている。２本の長辺天井梁１１１間、および２本の長辺床梁１２１間には、複数本の天井小梁１５と複数本の根太１６とがそれぞれ架け渡されている。
【００２６】
また、柱１０と天井梁１１および床梁１２とは、仕口１４を介して接続されている。そして、標準下階建物ユニット３１および標準上階建物ユニット５１の対角に位置する仕口１４のそれぞれを連結する図示しないブレースが設けられている。
標準下階建物ユニット３１および標準上階建物ユニット５１の内側には、適宜、内壁材１７が設けられ、居住空間が形成される。
【００２７】
図４に基づいて本実施形態における特殊上階建物ユニット５２を説明する。図４には、本実施形態の特殊上階建物ユニットの全体斜視図が示されている。
特殊上階建物ユニット５２は、四隅に立設される４本の柱１０Ａと、これらの柱１０Ａの上端間同士を結合する４本の天井梁１１Ａと、各柱１０Ａの下端間同士を結合する４本の床梁１２Ａとを含む骨組み１３Ａを有し、略直方体状に形成されている。
【００２８】
そして、天井梁１１Ａは各２本の長辺天井梁１１１Ａおよび短辺天井梁１１２Ａで構成され、床梁１２Ａは各２本の長辺床梁１２１Ａおよび短辺床梁１２２Ａで構成されている。２本の長辺天井梁１１１Ａの間には、複数本の天井小梁１５Ａが架け渡されている。
また、柱１０Ａと天井梁１１Ａおよび床梁１２Ａとは、仕口１４Ａを介して接続されている。そして、特殊上階建物ユニット５２の天井梁１１Ａにおいて、ライトコート７（図１，２参照）に対応する箇所以外にはブレース１８が設けられている。
【００２９】
特殊上階建物ユニット５２の内側には、適宜、図示しない内壁材が設けられ、居住空間が形成されている。
また、ライトコート７および階段Ｓ（図２参照）に対応する箇所は、根太が設けられていない。そして、ライトコート７に対応する箇所には、グレーティング７１が設けられている。このグレーティング７１は、平面板状の部材であって、その平面部は格子状に形成されており、光を透過する構造となっている。そして、材質は、ガラス繊維などの繊維をプラスチックの中に入れて強度を向上させた繊維強化プラスチック（Fiber Reinforced Plastics, FRP）である。さらに、廊下Ｃ（図２参照）に対応する箇所には床面材Ｃ１が設けられている。
【００３０】
図１および図２に示すように、特殊下階建物ユニット３２は、階段Ｓに対応する箇所には、天井小梁１５Ａが設けられていない。また、ライトコート７に対応する箇所には、天井小梁１５Ａおよび根太１６（図３参照）が設けられず、グレーティング７１も配置されていない。
つまり、特殊上階建物ユニット５２と特殊下階建物ユニット３２とは、基本的に同じ構造ではなるが、階段Ｓやライトコート７を形成する上で天井小梁１５Ａや根太１６の配置が異なって形成されている。
【００３１】
図５から図７に基づいて本実施形態における反射部材を説明する。
図５には、本実施形態のライトコートの拡大断面図が示されている。
図５に示すように、ライトコート７は、第一壁面部７４と第二壁面部７５と第三壁面部７６とに囲まれた空間である。これら壁面部７４，７５，７６には、ライトコート７からユニット式建物へと採光可能なガラス戸Ｇが設けられている。ただし、第三壁面部７６の上階部６には、ガラス戸Ｇは設けられていない。そして、ガラス戸Ｇが設けられていない箇所は、外壁Ｗが設けられている。
【００３２】
また、グレーティング７１はライトコート７の下階部４と上階部６との境界部分に配置されている。このグレーティング７１は、平面板状の部材であり、平面部は格子状に形成されており、光を透過することができる。
さらに、グレーティング７１において、ユニット式建物外側に面する箇所にはグレーティング７１と同様に光透過可能な図示しない柵（図１，２参照）が設けられている。このため、グレーティング７１は、事実上、上階部６の床として利用可能である。
【００３３】
さらに、第二壁面部７５の上階部６において、ガラス戸Ｇの上方の外壁Ｗには、ライトコート７へと光を反射する反射部材７７が設けられている。これにより、反射部材７７に入射する光をライトコート７へと反射するようになっている。この反射部材７７から反射する光は、具体的には、反射部材７７からライトコート７の下階部４へと反射する第一反射光路Ｌ１と、反射部材７７から第三壁面部７６へと反射しさらに第二壁面部へと反射しあう第二反射光路Ｌ２とを有する。
このため、第二反射光路Ｌ２は、第二壁面部７５と第三壁面部７６との間で光が反射しあうこととなり、ライトコート７全体へと光を照射するようになっている。
なお、下階部４と上階部６との境界部分に設けられたグレーティング７１は光を透過するため、ライトコート７内で反射する光を上階部６で遮光することなく、下階部４へと導光するようになっている。
【００３４】
図６には、本実施形態の反射部材の拡大断面図が示されている。図７には、本実施形態の反射部材の正面図が示されている。
図６および図７に示すように、反射部材７７は、外形を形成するフレーム７７１と、光を反射する回動可能なルーバー状の反射板７７２と、この反射部を回動可能に軸支する回動軸７７３と、反射部材７７を外壁Ｗに取り付けるための棒状に形成された締結具７７４とを備えている。
そして、反射部材７７が取り付けられる外壁Ｗには、雄ねじ部材の締結具７７４と対応する箇所に円筒状に形成されたアンカー部材Ａが埋設されている。
また、アンカー部材Ａは、円筒状の雌ねじ部材であって、締結具７７４が螺合されることで、一部が放射状に開裂する。このため、締結具７７４の螺合により、アンカー部材Ａが開裂し、外壁Ｗに減り込むことで、フレーム７７１が外壁Ｗに取り付けられる。
【００３５】
以上のような本実施形態によれば、次のような作用効果を奏することができる。
（１）本実施形態のユニット式建物１によれば、上階部６と下階部４との境界部分にグレーティング７１が設けられているので、このグレーティング７１を事実上、上階部６の床として利用することができる。さらに、このグレーティング７１は、光を透過するので、上階部６から差し込む光を遮光することなく、下階部４へと導光することができる。
【００３６】
さらに、上階部６に設けられる反射部材７７と、この反射部材７７から反射された光を下階部４に送る反射光路Ｌ１とを備えているので、例えば、ライトコート７の上階部６にしか差し込まない光であっても、反射部材７７により反射され反射光路Ｌ１を通って下階部４へと導光することができる。
【００３７】
このため、ライトコート７は、上階部６にのみ差し込む光を下階部４へと導光することができるので、ライトコート７の上階部６から下階部４までライトコート７全域において効率よく採光することができる。すなわち、ライトコート７に面した第一壁面部７４、第二壁面部７５および第三壁面部７６に窓やガラス戸Ｇを設けることでユニット式建物１の内部へと効率よく採光するができる。
【００３８】
（２）本実施形態のユニット式建物１によれば、透光性床面材としてグレーティングを採用しているため、透光性を有しながらも高い強度を実現することができ、上階部６の床として好適である。
【００３９】
（３）本実施形態のユニット式建物１によれば、反射部材７７は回動自在なルーバー状の反射板７７２を備えているので、入射角度の異なる光に対応して反射板７７２の角度を調整すればライトコート７の下階部４へと導光することができる。
例えば、自然光では太陽の南中高度が季節ごとに異なるので、効率よくライトコート７への導光を実現するためには反射部材７７の角度調整が必要となる。
このような場合において、ルーバー状の反射板７７２を備えていると反射板７７２を回動させるだけで容易に反射角度の調整ができ、季節が移り変わってもライトコート７へと導光することができる。
よって、通年でライトコート７へ導光することができ、ライトコート７からユニット式建物１の内部へと採光することができる。
【００４０】
（４）本実施形態のユニット式建物１によれば、反射部材７７が取り付けられる外壁Ｗには、雄ねじ部材の締結具７７４と対応する箇所に円筒状に形成されたアンカー部材Ａが埋設されている。
また、アンカー部材Ａは、円筒状の雌ねじ部材であって、締結具７７４が螺合されることで、一部が放射状に開裂する。このため、締結具７７４の螺合により、アンカー部材Ａが開裂し、外壁Ｗに減り込むことで、フレーム７７１が外壁Ｗに取り付けられる。
このため、アンカー部材Ａおよび締結具７７４のみの簡易な構成によりフレーム７７１を取り付けることができる。
【００４１】
（５）本実施形態のユニット式建物１によれば、第二壁面部７５と第三壁面部７６とが対向し、さらに第二壁面部７５に設けられた反射部材７７が第三壁面部７６へと光を反射させる第二反射光路Ｌ２を備えているので、光が照射された第三壁面部７６はさらにその光を第二壁面部７５へと反射することとなる。
【００４２】
このため、第二壁面部７５と第三壁面部７６との間で光を反射させあうことができ、ライトコート７全体に導光することができる。よって、ライトコート７に面する第一壁面部７４、第二壁面部７５、第三壁面部７６に任意に窓やガラス戸Ｇ等を設けることで、ユニット式建物１内に採光することができる。
また、ライトコート７全体へと導光することで、ライトコート７に面する第一壁面部７４、第二壁面部７５、第三壁面部７６に苔やカビが生えにくくなることが期待できる。
【００４３】
なお、本発明は前述の各実施形態に限定されるものではなく、本発明の目的を達成できる範囲での変形、改良等は本発明に含まれるものである。
本実施形態では、第三壁面部７６に外壁Ｗを設けているが、これに限らず、反射材を設けてもよい。反射材を設ければ、反射部材７７からの反射光を第二壁面部７５へと反射する反射効率をより一層高めることができる。
また、本実施形態では、締結具７７４とアンカー部材Ａとにそれぞれ凸状部材を設けてフレーム７７１を外壁Ｗに取り付けたが、これに限らず、容易にフレーム７７１を取り付けられる構成であれば、締結具７７４およびアンカー部材Ａの形状は限定されない。
さらに、本実施形態では、反射部材７７は第二壁面部７５のみに設けたが、これに限らず、第三壁面部７６にも設けてもよい。これにより、より一層多くの光をライトコート７へと導光することができる。
【産業上の利用可能性】
【００４４】
本発明は、個人住宅用に利用できる他、アパートやビル等の共同住宅にも利用することができる。
【符号の説明】
【００４５】
１…ユニット式建物
４…下階部
６…上階部
７…ライトコート
７１…グレーティング（透光性床面材）
７４…第一壁面部
７５…第二壁面部
７６…第三壁面部
７７…反射部材
７７１…フレーム
７７２…反射板
７７４…締結具
Ａ…アンカー部材
Ｇ…ガラス戸（窓部）
Ｌ１…第一反射光路
Ｌ２…第二反射光路
Ｗ…外壁
【図１】
2011032745.tif 000003
【図２】
2011032745.tif 000004
【図３】
2011032745.tif 000005
【図４】
2011032745.tif 000006
【図５】
2011032745.tif 000007
【図６】
2011032745.tif 000008
【図７】
2011032745.tif 000009